(57)【要約】【課題】シートに多肉植物などの嵩の高い植物を挟む際に植物を傷つけることなく、低コストで製造できることを課題とする。【解決手段】栄養繁殖可能な植物が網目状の下地シート１４に載置され、上から紙状シート２６で覆われ、下地シート１４に固定される。紙状シート２６で栄養繁殖可能な植物を覆うことで、例えば多肉植物の茎葉２２や芝のランナーのように、嵩のある植物が傷付かずに下地シート１４に密着固定する。また、紙状シート２６が植物を覆うことで、植物にかかる環境ストレスを緩和し、植物が下地シート１４上に定着して、その後の生育状態に良い影響をもたらす。さらに、植物シート１０は、下地シート１４と紙状シート２６とで構成されるので、土壌が不要で非常に軽量化され、運搬、荷揚げの費用の低減にもつながる。【選択図】　　図１
2004129618.tif 000002
【特許請求の範囲】
【請求項１】
網目状の下地シートと、
前記下地シートに載置される栄養繁殖可能な植物と、
前記植物を覆い、前記下地シートに固定する水溶性被膜と、
からなることを特徴とする植物シート。
【請求項２】
前記下地シートが生分解性シートであり、前記水溶性被膜が水溶性樹脂材と繊維質材で形成された紙状シートであり、この紙状シートを前記生分解性シートに固着したことを特徴とする請求項１に記載の植物シート。
【請求項３】
前記植物と前記紙状シートとの間にネットを設けたことを特徴とする請求項２に記載の植物シート。
【請求項４】
網目状の下地シートに栄養繁殖系可能な植物を載置する第１の工程と、
前記植物の上に水溶性の紙状シートを被せる第２の工程と、
前記紙状シートに水を噴霧する第３の工程と、
前記下地シートと前記紙状シートとの間の空気を吸引する第４の工程と、
からなることを特徴とする植物シートの製造方法。
【請求項５】
前記第４の工程では、前記下地シートと前記紙状シートとの間の空気を前記下地シートの下面から吸引することで密着させると共に、乾燥を促進させることを特徴とする請求項４に記載の植物シートの製造方法。
【請求項６】
前記紙状シートは、常温で水溶性を発揮することを特徴とする請求項４または請求項５に記載の植物シートの製造方法。
【請求項７】
前記植物は、親苗から切り取られた栄養繁殖可能な植物の茎葉であることを特徴とする請求項４〜請求項６のいずれかに記載の植物シートの製造方法。
【請求項８】
前記下地シートに対する前記茎葉の分布密度は、生育速度に反比例させたことを特徴とする請求項４〜請求項７のいずれかに記載の植物シートの製造方法。
【請求項９】
前記紙状シートを白色としたことを特徴とする請求項４〜請求項８のいずれかに記載の植物シートの製造方法。
【請求項１０】
前記第１の工程と前記第２の工程の間に前記植物をネットで固定する工程を有することを特徴とする請求項４〜請求項９のいずれかに記載の植物シートの製造方法。
【請求項１１】
前記植物に替えて、前記下地シートに種子を散布したことを特徴とする請求項４〜請求項６のいずれかに記載の植物シートの製造方法。
【請求項１２】
請求項１〜請求項３のいずれかに記載の植物シートが、固定ピンで土壌面に取付けられ、散水されることを特徴とする植物シートの緑化工法。
【請求項１３】
前記植物シートは、土壌面に載置され、上から目土をして散水されることを特徴とする請求項１２に記載の植物シートの緑化工法。
【発明の詳細な説明】
【０００１】
【発明の属する技術分野】
本発明は、多肉植物やその他の栄養繁殖可能な植物を用いた植物シートとその製造方法及び植物シートを用いた緑化工法に関する。
【０００２】
【従来の技術】
エアコンの排熱やアスファルト、コンクリートによる太陽熱の照り返しなどによって、都市部の気温の上昇が年々激しくなっている。このような、都市部で問題になっているヒートアイランド現象の緩和策として、屋上や屋根に芝草などの植物を植栽する緑化が普及している。実際に施工する上で、建物に対する荷重や、基盤土壌に使用する材質などの課題もあり、この課題の解決の一つとして、セダム類などの多肉植物や栄養繁殖可能な植物を植栽する工法がある。
【０００３】
セダム類などの多肉植物は、耐乾燥性が非常に強く少量の水分でも生育可能なため、灌水手段を必要とせず、屋上や壁面などの水分の保持が難しい場所の緑化に適している。また、植栽基盤としての土壌をあまり必要しないため、薄い植栽基盤でも生育可能であり、生育する基盤を薄くすることができる。このため、建物への荷重を軽減することが可能となり、荷重制限のある建物の緑化において、有効な緑化手段とされている。
【０００４】
しかし、多肉植物を土壌面に移植した際、多肉植物の茎葉が風で動いたり裏返るなどして移植先の土壌にうまく固着されないことがある。それに加え、移植直後の多肉植物の茎葉はストレス耐性の低い状態にあるため、直射日光や風などで強い環境ストレスを受けると、茎葉の生育が妨げられていた。
【０００５】
一方、茎葉や種子を植栽基盤に載置して、その上からシートで覆い、茎葉または種子を植栽基盤と一体化させたものを土壌面に施工する工法がある。
【０００６】
例えば図１１に示すように、植栽基盤としてのネット１０２上に芝１０４の茎葉１０６を分解、延伸したものを載置し、その上に灌水手段として保水剤１０８をシート１１０、１１２に挟んだもので覆い、これらの両端及び中央部分をミシン装置１１４で縫い合わせて、ネット１０２と芝の茎葉１０６とシート１１０、１１２とを一体化させ、これを移植先の土壌面に固定させるものがある（特許文献１）。
【０００７】
しかし、この工法を、多肉植物のような、比較的嵩の高いブロック状の植物をシート上に配置させる上での固定手段に用いると、縫い合わせて一体化させる際に植物を傷つけてしまう。また、ネットとシートとをミシン装置で縫うために、ミシン装置が必要となり、シートを製造する装置のコストアップの要因ともなる。
【０００８】
一方、種子をシートと水溶性フィルムとの間に挟持させた芝種子シートを土壌に固定させるものがある（特許文献２）。
【０００９】
しかし、種子をシートと水溶性フィルムとの間に挟持し、押圧または接着剤によって一体化させるものであり、種子のように比較的小さいものか、或いはライン状に延伸された芝の茎葉のように厚みを十分に小さくしたものでなければこの工法は適さない。
【００１０】
【特許文献１】
特開平２−１０４２１６号公報（第２項、第１図）
【特許文献２】
特開２０００−３０００７３公報（第３−４項、第１図）
【００１１】
【発明が解決しようとする課題】
本発明は上記事実を考慮し、シートに多肉植物などの嵩の高い植物を挟む際に植物を傷つけることなく、低コストで製造できる植物シートを提供する。
【００１２】
【課題を解決するための手段】
【００１３】
【発明の実施の形態】
請求項１に記載の本発明の植物シートは、網目状の下地シートと、前記下地シートに載置される栄養繁殖系の植物と、前記植物を覆い、前記下地シートに固定する水溶性被膜と、からなることを特徴としている。
【００１４】
請求項１に記載の発明によれば、栄養繁殖系の植物が網目状の下地シートに載置され、上から水溶性被膜で覆われ、下地シートに固定される。
【００１５】
このように、水溶性被膜で栄養繁殖系の植物を覆うことで、例えば多肉植物の茎葉や芝のランナーのように、嵩のある植物が傷付かずに下地シートに密着固定する。また、水溶性被膜が植物を覆うことで、植物にかかる環境ストレスを緩和し、植物が下地シート上に定着して、その後の生育状態に良い影響をもたらす。
【００１６】
さらに、植物シートは、下地シートと水溶性被膜とで構成されるので、土壌が不要で非常に軽量化され、運搬、荷揚げの費用の低減にもつながる。
【００１７】
請求項２に記載の本発明の植物シートは、前記下地シートが生分解性シートであり、前記水溶性被膜が水溶性樹脂材と繊維質材で形成された紙状シートであり、この紙状シートを前記生分解性シートに固着したことを特徴としている。
【００１８】
請求項２に記載の発明によれば、生分解性シートを下地シートとして利用し、この下地シートに水溶性樹脂材と繊維質材とで形成された紙状シートを固着させる。
【００１９】
生分解性シートを下地シートとして利用することで、下地シートが土壌に分解され、土壌汚染の防止になる。また、紙状シートが水で溶解し、紙状シートの繊維質が植物に絡み付いて下地シートや土壌面（構造物の壁面も含む）に植物を固着させる。さらに、紙状シートはマルチング材としての効果もあり、雑草の侵入、土壌の乾燥、雨水による侵食の防止にもなる。
【００２０】
請求項３に記載の本発明の植物シートは、前記植物と前記紙状シートとの間にネットを設けたことを特徴としている。
【００２１】
請求項３に記載の発明によれば、植物と紙状シートとの間にネットを設けることで、植物シートの表面の長期的な安定性が得られる。これらは、安定性を必要とする法面等に用いる植物シートに適する。
【００２２】
請求項４に記載の本発明の植物シートの製造方法は、網目状の下地シートに栄養繁殖系の植物を載置する第１の工程と、前記植物の上に水溶性の紙状シートを被せる第２の工程と、前記紙状シートに水を噴霧する第３の工程と、前記下地シートと前記紙状シートとの間の空気を吸引する第４の工程と、からなることを特徴としている。
【００２３】
請求項４に記載の発明によれば、下地シートに栄養繁殖系の植物を載置し、植物の上を紙状シートで覆う。その紙状シートに所定の温度の水を噴霧すると、紙状シートの通気性が消失する。次に、下地シートと紙状シートとの間の空気を吸引すると、その吸引効果によって、紙状シートが植物の形状に沿って密着すると共に、植物が載置されていない部分では、紙状シートは下地シートに密着する。このようにして、植物が下地シートに密着固定する。また、植物は紙状シートに覆われるので、紙状シートが直射日光を照り返し、植物に直射日光が直接あたることを防ぐ。
【００２４】
請求項５に記載の本発明の植物シートの製造方法は、前記第４の工程では、前記下地シートと前記紙状シートとの間の空気を前記下地シートの下面から吸引することで密着させると共に、乾燥を促進させることを特徴としている。
【００２５】
請求項５に記載の発明によれば、下地シートと紙状シートとの間の空気を下地シートの下面から吸引するときに、吸引によって下地シートと紙状シートが十分に密着されて後、微細な穴が空いて乾燥の工程に入ることになる。通常は乾燥工程が吸引のみでこのまま終了することになるが、穴が偏った場合には、空気の流れが穴の周囲に偏り、乾燥にばらつきが生じて、紙状シート全体の乾燥に時間を要する。そこで、紙状シートの上から風（例えば、自然風、温風、熱風）をあてれば、効率良く均一に紙状シートを乾燥させることができる。
【００２６】
請求項６に記載の本発明の植物シートの製造方法は、前記紙状シートは、常温以上で水溶性を発揮することを特徴としている。
【００２７】
請求項６に記載の発明によれば、紙状シートを常温以上、例えば２５℃以上で水溶性を発揮するものを用いて植物のシートを製造する。湿度が非常に高い場合には、紙状シートが湿度によって水分を含んだ状態になり、溶解してしまう。そこで、例えば２５℃以上で水溶性を発揮する材質のものを紙状シートとして用いることで、植物シートを重ねて保管しておいた場合でも、保管場所の室温を所定の温度に調整することにより、植物を被膜している紙状シートが、その上に重ねた植物シートの下地材に接着したりすることが防止できる。
【００２８】
なお、常温とは、地域の温度差を考慮した概念であり、例えば北海道で植物シートを使用する場合１５℃以上で水溶性を発揮するようにし、沖縄では３０℃以上で水溶性を発揮させようとするものである。
【００２９】
請求項７に記載の本発明の植物シートの製造方法は、前記植物は、親苗から切り取られた栄養繁殖可能な植物の茎葉であることを特徴としている。
【００３０】
請求項７に記載の発明によれば、植物シートは、栄養繁殖可能な植物の親苗から切り取られた茎葉で製造される。
【００３１】
植物シートに用いる植物は、親苗の状態が最上のときの茎葉を切り取った物を用いることで、その後の植物の良好な生育につながる。また、一定量の親苗さえ所有していれば大面積への移植に必要な材料を短期間で供給できるので、急な大量発注や短納期の注文にも十分に対応できる。
【００３２】
請求項８に記載の本発明の植物シートの製造方法は、前記下地シートに対する前記茎葉の分布密度は、生育速度に反比例させたことを特徴としている。
【００３３】
請求項８に記載の発明によれば、植物シートは、茎葉の生育速度に反比例させた密度で下地シートに分布され、製造される。
【００３４】
植物は生育速度が速いので、茎葉を下地シートに隙間なく載置する必要がなく、生育速度を考えて下地シートに適当な隙間を設けて分布させるだけでよい。このため、少ない量の茎葉で植物シートが製造でき、コスト的に安価である。またこの隙間は、下地シート１４と紙状シート２６との一体化、及び下地シート１４と土壌との密着のために必要なものである。
【００３５】
請求項９に記載の本発明の植物シートの製造方法は、前記紙状シートを白色としたことを特徴としている。
【００３６】
請求項９に記載の発明によれば、紙状シートを白色とすることで、植物体は温度上昇や紫外線、乾燥などからの影響が少なくなり、高い活着率が確保できる。
【００３７】
請求項１０に記載の本発明の植物シートの製造方法は、前記第１の工程と前記第２の工程の間に前記植物をネットで固定する工程を有することを特徴としている。
【００３８】
請求項１０に記載の発明によれば、下地シートに植物を載置し、植物をネットで固定して、紙状シートで覆う。植物をネットで固定することで、植物が土壌に活着するまでの養生期間中に風雨の害を受けない植物ネットが製造される。
【００３９】
請求項１１に記載の本発明の植物シートの製造方法は、前記植物に替えて、前記下地シートに種子を散布したことを特徴としている。
【００４０】
請求項１１に記載の発明によれば、種子を網目状の下地シートに載置し、上から水溶性被膜で覆い、下地シートに固定する。
【００４１】
このように、水溶性被膜で種子を覆うことで、水溶性被膜が種子を覆い、発芽前の種子にかかる環境ストレスを緩和し、種子が下地シート上に定着して、発芽及び生育状態に良い影響をもたらす。
【００４２】
請求項１２に記載の本発明の植物シートの緑化工法は、請求項１〜請求項３のいずれかに記載の植物シートが、固定ピンで土壌面に取付けられ、散水されることを特徴としている。
【００４３】
請求項１２に記載の発明によれば、固定ピンで植物シートが土壌面に取付けられ、土壌面に取付けた植物シートの上から散水して、土壌面に植物シートを固定させる。
【００４４】
植物シートを固定ピンで取付け、上から散水するだけで、土壌面の緑化が行える。また、散水することで、シート全体が土壌になじみやすくなる。さらに、植物の茎葉の廻りには紙状シートの樹脂分が係留しており、その樹脂分が散水によって再溶解して土壌に浸透することで、植物シートが土壌にしっかりと固定されると共に、散水された水が樹脂分に保水され、茎葉への水の供給源となる。
【００４５】
請求項１３に記載の本発明の植物シートの緑化工法は、前記植物シートは、土壌面に載置され、上から目土をして散水されることを特徴としている。
【００４６】
請求項１３に記載の発明によれば、土壌面に載置された植物シートの上から目土をし、散水する。この場合は、溶解した紙状シートによって目土が紙状シートに固定され、風雨等によって目土が飛散・流亡しにくくなる。
【００４７】
【発明の実施の形態】
第１の実施形態に係る植物シートの製造方法並びに植物シートを用いた緑化工法を説明する。
【００４８】
図１には、植物シート１０の製造工程が示されている。
【００４９】
植物シート１０の基盤となる下地シート１４が、送り出し側に設置された巻芯１２に巻かれている。下地シート１４は、その一端が巻芯１２から水平に引き出され、送りローラ１６に送り出されて巻き取り側に設置された巻芯１８に巻き取られるようになっている。
【００５０】
下地シート１４は、長尺状の網目状のものが用いられる。例えば、目の粗い木綿製のものを用いると、植物（例えば、セダム類などの多肉植物）の根が下地シート１４の網目を貫通し、土壌に貫入し易くなる。また、下地シート１４が土壌になじみ易くなる、という利点も挙げられる。さらに、下地シート１４に用いる材質を生分解性のものとすると、土壌面に取付けたときに下地シート１４が土壌に分解され、土壌汚染の防止になる。
【００５１】
巻芯１２と巻芯１８との間に、多肉植物などの茎葉２２が投入されたホッパー２０が設置されている。なお、栄養繁殖可能な植物の親苗を保有し、親苗から茎葉を必要分だけ切り取りホッパー２０に投入するようにすれば、大面積への移植に必要な材料を短期間で供給でき、急な大量の受注にも対応できる。
【００５２】
ホッパー２０から、下地シート１４の上に茎葉２２が均一に配置され（図２に示す）、下地シート１４は水平移動して次の工程へ進む。茎葉２２は、下地シート１４に対する分布密度を生育速度に反比例させ、隙間を設けながら均一に配置すれば、下地シート１４全体を覆うように繁茂する。この隙間は、下地シート１４と紙状シート２６との一体化、及び下地シート１４と土壌との密着のために必要なものである。
【００５３】
巻芯１２と巻芯１８との中間に設けられた巻芯２４には、下地シート１４とほぼ同じ幅の長尺状の紙状シート２６が巻かれている。茎葉２２が配置された下地シート１４が巻芯２４の下へ送られてくると、紙状シート２６の一端が水平に引き出されて、下地シート１４を覆う（図３に示す）。紙状シート２６は、水溶性樹脂と繊維質を絡めたものが用いられる。水溶性樹脂としては、ポリビニルアルコールやでんぷんなどが適している。また、温度２５℃以上で水溶性を発揮する紙状シート２６を用いることで、植物シート１０の製造後の保存・輸送時にシート同士が接着することが防止できる。さらに、紙状シート２６を白色系のものを用いることで、移植後のストレス耐性の低い状態にある茎葉２２が、温度上昇、紫外線、乾燥などのストレスを受けることを防いで、茎葉２２の土壌面３６への高活着率を確保することができる。なお、白色系でない紙状シートに、着色剤を吹付ける等の作業で白色にしてもよい。
【００５４】
巻芯２４と巻芯１８との間には、噴霧器２８が設けられている。噴霧器２８から、紙状シート２６の上に水が所定量噴霧される（図４に示す）。紙状シート２６は水を吸収すると、シート上の糊が豊潤した状態になり、目が詰まって通気性が消失する。なお、保存・輸送時に、結露等によって紙状シート１４同士が接着するのを防止できるように、水溶性樹脂には所定の感温特性が付与されている。
【００５５】
噴霧器２８と巻芯１８との間には、下地シート１４の下面に接して、吸引装置３０が設けられている。吸引装置３０は、接続されたバキュームポンプ３２によって負圧となり、通気孔３１を通じて下地シート１４と紙状シート２６との間の空気を下地シート１４の下面側から吸引し（図５又は図７（Ａ）に示す）、茎葉２２に沿って紙状シート２６を密着させる（図６又は図７（Ｂ）に示す）。下地シート１４の茎葉２２が載置されていない部分は、吸引によって紙状シート２６が密着して、茎葉２２を左右にずれることなくしっかりと下地シート１４に固定する。
【００５６】
吸引装置３０と巻芯１８との間には、温風器３４が設けられている。下地シート１４の下面からの吸引により、紙状シート２６が十分に密着すると微細な穴が空き、乾燥の工程に転じるが、穴の分布が偏ると空気の流れが穴の周囲に偏るため、乾燥にばらつきが生じ、紙状シート２６全体を乾燥させるのに時間を要する。その場合には、紙状シート２６の上方から温風器または送風機３４で風を当てて、紙状シート２６の乾燥を促進する。なお、温風器または送風機３４は必ずしも必要ない。
【００５７】
このようにして製造された植物シート１０は、巻芯１８に巻き取られて、ロール状にされる。
【００５８】
次に、植物シート１０を土壌面３６に取付ける緑化工法について説明する。
【００５９】
植物シート１０を適当なサイズに裁断し、移植対象の土壌面３６の所定位置に載置する。図８に示すように、固定ピン３８を用いて、植物シート１０を土壌面３６に固定させ、植物シート１０の上から散水を行う。散水を行うと、植物シート１０全体が土壌面３６になじみやすくなり、土壌面３６に固定される。また、茎葉２２の廻りに溜まった紙状シート２６の樹脂分が再溶解すると、下地シート１４に浸水していき、下地シート１４全体の下地土壌への食い付きが良好になると共に、散水された水が樹脂分に保水され、茎葉への水の供給源となる。
【００６０】
図９に示すように、土壌面３６に固定された植物シート１０は、土壌面３６に活着し、茎葉２２から幾本も発根して、土壌面３６に確実に活着すると共に、繁殖していく。なお、図８または図９は、法面の緑化を想定した図であるが、本緑化工法の対象は法面に限定されるものではない。また、散水の代わりにスラリー状の吹付け用の植生基盤材を用いてもよい。
【００６１】
次に、第１の実施形態に係る植物シートの製造方法並びに植物シートを用いた緑化工法の作用を説明する。
【００６２】
本発明における植物シートの製造方法は、茎葉２２を挟んだ下地シート１４と紙状シート２６を固定して一体化するのに、縫製などの特別な方法を必要としない。すなわち、植物シート１０の製造工程で紙状シート２６を湿らし、かつ下地シート１４の下面から空気を吸引することにより、茎葉２２を下地シート１４に接着させる。このため、嵩のある茎葉２２を傷付けずに下地シート１４、紙状シート２６と一体化させることができる。
【００６３】
なお、茎葉２２を水溶性被膜で覆うために紙状シート２６を用いたが、水溶性溶液を茎葉２２に吹付け、水溶性被膜を形成してもよい。
【００６４】
次に、第２の実施形態に係る植物シートの製造方法について説明する。
【００６５】
第２の実施形態では、図１０のように、巻芯１２と巻芯２４との間に巻芯４０が設けられ、巻芯４２には下地シート１４とほぼ同じ幅の長尺状のネット４２が巻かれている。巻芯１２から送られた下地シート１４に茎葉２２が載置され、その上にネット４２の一端が巻芯４０から引き出され、被せられる。この後の工程は、第１の実施形態と同様なので割愛する。
【００６６】
次に、第２の実施形態に係る植物シートの製造方法の作用について説明する。
【００６７】
図１０に示すように、茎葉２２と紙状シート２６との間にネット４２を設けることで、植物シート１０の表面の安定性が得られる。また、このネット４２を用いれば植物が活着するまでの間、風雨に対する表面の安定性を必要とする法面等に施工するのに適した植物シート１０が製造できる。
【００６８】
次に、第３の実施形態に係る植物シートを用いた緑化工法について説明する。
【００６９】
第１の実施形態、第２の実施形態において作製された植物シート１０を適当なサイズに裁断し、移植対象の土壌面３６の所定位置に載置する。植物シート１０の上から目土をして、その上から散水して植物シート１０を土壌面３６に固定させる。以下は第１の実施形態と同様なので割愛する。
【００７０】
次に、第３の形態に係る植物シートを用いた緑化工法について説明する。
【００７１】
土壌面３６に載置された植物シート１０の上から目土をし、散水する。植物シート１０の上に目土をすることで、植物シート１０は土壌面３６に固定され、散水によって土壌面３６になじみやすくなる。
【００７２】
また、本発明の植物シート１０を用いた緑化工法は、植物を土壌面に直播きする工法と比較して、植物の根を傷めるなどのストレスが少ないので、従来なら６月中旬までしか施工できなかったのに対し７月初めまで可能になるなど、施工可能期間が長期化している。
【００７３】
なお、本発明の実施の形態においては、栄養繁殖系の植物として多肉植物を用いたが、芝などにも適用できる。
【００７４】
また、平地や屋上用などの用途においては、下地シート１４の素材としては、長期的には分解して土壌と一体化するものが望ましいが、長期の表面の安定性を必要とする表面用ではその限りではなく、ネットの素材を使い分けることで用途にふさわしい対応が可能である。
【００７５】
さらに、植物シート１０の製造の水を噴霧する工程において、噴霧器２８内の水に病害虫防止用薬品、発根促進剤、肥料、着色剤などを混入することで、植物シート１０を土壌面３６に取付ける際に、薬剤処理などの煩雑で困難な作業が、確実かつ効率的に行える。
【００７６】
また、植物シート１０の製造工程において、製造された植物シート１０は、巻芯１８に巻いてロール生産したが、折り畳み生産をしてもよい。
【００７７】
本発明の植物シートに用いられる栄養繁殖可能な植物として、多肉植物（例えば、セダム、マツバギク、サボテン等）、芝、ミント、竹、笹、イワダレソウ等などが挙げられる。
【００７８】
【発明の効果】
本発明は上記構成としたので、シートに多肉植物などの嵩の高い植物を挟む際に植物を傷つけることなく、低コストで製造できる。
【図面の簡単な説明】
【図１】第１の実施形態に係る植物シートの製造方法を示す図である。
【図２】第１の実施形態に係る植物シートの第１の工程を示す図である。
【図３】第１の実施形態に係る植物シートの第２の工程を示す図である。
【図４】第１の実施形態に係る植物シートの第３の工程を示す図である。
【図５】第１の実施形態に係る植物シートの第４の工程を示す図である。
【図６】第１の実施形態に係る植物シートを示す図である。
【図７】（Ａ）第１の実施形態に係る植物シートの第３の工程を示す断面側面図であり、（Ｂ）第４の工程を示す断面側面図である。
【図８】第１の実施形態に係る植物シートを用いた緑化工法を示す図である。
【図９】第１の実施形態に係る植物シートが土壌面に取付けられた状態を示す図である。
【図１０】第２の実施形態に係る植物シートの製造方法を示す図である。
【図１１】従来のシートの製造方法を示す図である。
【符号の説明】
１０　　植物シート
１４　　下地シート（生分解性シート）
２２　　茎葉（植物）
２６　　紙状シート（水溶性被膜）
３０　　吸引装置
３８　　固定ピン
４２　　ネット
【図１】
2004129618.tif 000003
【図２】
2004129618.tif 000004
【図３】
2004129618.tif 000005
【図４】
2004129618.tif 000006
【図５】
2004129618.tif 000007
【図６】
2004129618.tif 000008
【図７】
2004129618.tif 000009
【図８】
2004129618.tif 000010
【図９】
2004129618.tif 000011
【図１０】
2004129618.tif 000012
【図１１】
2004129618.tif 000013